【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
特別始動入賞口への入賞に基づいて乱数値を抽出し、該乱数値の判定結果に対応した停止図柄を導出すべく可変表示を行い、可変表示の終了を契機に、当該可変表示に係わった判定結果が当たりの場合は、変動入賞装置の開成動作を所定回数まで繰り返す遊技機において、
バックアップ電源によって停電時にも情報が保持させるＲＡＭを有し、遊技の進行を制御する遊技用マイクロコンピュータを備えた遊技制御装置と、
バックアップ電源によって停電時にも情報が保持させるＲＡＭを有し、前記遊技制御装置からの賞球数データに基づいて所定数の賞球を排出させる制御を行う制御用マイクロコンピュータを備えた排出制御装置と、
前記遊技制御装置からの表示コマンドに基づいて可変表示を制御する表示制御装置と、
前記遊技制御装置、前記排出制御装置及び前記表示制御装置に電源を供給する電源供給装置と、を有し、
前記電源供給装置は、
交流電源電圧に基づいて各種直流電源電圧を生成するものであり、
生成した出力電圧が所定電圧まで低下したときに停電と判定して停電検出信号を出力する停電検出回路を含み、
該停電検出回路は、前記遊技用マイクロコンピュータ及び前記制御用マイクロコンピュータに前記停電検出信号を出力し、
前記遊技用マイクロコンピュータ及び前記制御用マイクロコンピュータは、
前記停電検出信号をマスク不能な割込端子に入力し、該割込端子に入力された停電検出信号に応じた強制割込によって、レジスタの値、停電が発生したことを示す停電フラグ及びタイマによる通常割込を許可しているか禁止しているかを示すフラグをＲＡＭに保存して待機状態とする一方、
遊技機の電源が投入され、停電フラグが設定されていたときには、ＲＡＭに保存されていたレジスタの値を停電発生前の状態に復旧し、停電発生前が通常割込を許可していた状態のときは通常割込を許可状態とし、または、停電発生前が通常割込を禁止していた状態のときは通常割込を禁止状態とし、
更に、前記遊技制御装置にリセット信号遅延回路を設け、
前記遊技用マイクロコンピュータのリセット解除を遅延させ、停電復旧時に前記排出制御装置及び前記表示制御装置を当該遊技制御装置よりも早くリセット状態が解除されるように構成したことを特徴とする遊技機。
【手続補正２】
【補正対象書類名】明細書
【補正対象項目名】０００１
【補正方法】変更
【補正の内容】
【０００１】
【発明の属する技術分野】
本発明は、特別始動入賞口への入賞に基づいて乱数値を抽出し、該乱数値の判定結果に対応した停止図柄を導出すべく可変表示を行い、可変表示の終了を契機に、当該可変表示に係わった判定結果が当たりの場合は、変動入賞装置の開成動作を所定回数まで繰り返す遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は上記のような課題を解決するためになされたもので、停電発生時や停電復帰時に各制御装置においてその制御の正確性を担保する遊技機を提供することを目的とする。
【手続補正５】
【補正対象書類名】明細書
【補正対象項目名】０００８
【補正方法】変更
【補正の内容】
【０００８】
【課題を解決するための手段】
上記目的を達成するため本発明は、
特別始動入賞口への入賞に基づいて乱数値を抽出し、該乱数値の判定結果に対応した停止図柄を導出すべく可変表示を行い、可変表示の終了を契機に、当該可変表示に係わった判定結果が当たりの場合は、変動入賞装置の開成動作を所定回数まで繰り返す遊技機において、
バックアップ電源によって停電時にも情報が保持させるＲＡＭを有し、遊技の進行を制御する遊技用マイクロコンピュータを備えた遊技制御装置と、
バックアップ電源によって停電時にも情報が保持させるＲＡＭを有し、前記遊技制御装置からの賞球数データに基づいて所定数の賞球を排出させる制御を行う制御用マイクロコンピュータを備えた排出制御装置と、
前記遊技制御装置からの表示コマンドに基づいて可変表示を制御する表示制御装置と、
前記遊技制御装置、前記排出制御装置及び前記表示制御装置に電源を供給する電源供給装置と、を有し、
前記電源供給装置は、
交流電源電圧に基づいて各種直流電源電圧を生成するものであり、
生成した出力電圧が所定電圧まで低下したときに停電と判定して停電検出信号を出力する停電検出回路を含み、
該停電検出回路は、前記遊技用マイクロコンピュータ及び前記制御用マイクロコンピュータに前記停電検出信号を出力し、
前記遊技用マイクロコンピュータ及び前記制御用マイクロコンピュータは、
前記停電検出信号をマスク不能な割込端子に入力し、該割込端子に入力された停電検出信号に応じた強制割込によって、レジスタの値、停電が発生したことを示す停電フラグ及びタイマによる通常割込を許可しているか禁止しているかを示すフラグをＲＡＭに保存して待機状態とする一方、
遊技機の電源が投入され、停電フラグが設定されていたときには、ＲＡＭに保存されていたレジスタの値を停電発生前の状態に復旧し、停電発生前が通常割込を許可していた状態のときは通常割込を許可状態とし、または、停電発生前が通常割込を禁止していた状態のときは通常割込を禁止状態とし、
更に、前記遊技制御装置にリセット信号遅延回路を設け、
前記遊技用マイクロコンピュータのリセット解除を遅延させ、停電復旧時に前記排出制御装置及び前記表示制御装置を当該遊技制御装置よりも早くリセット状態が解除されるように構成したことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００４７
【補正方法】変更
【補正の内容】
【００４７】
ステップＳ５ｊでは、普通図柄表示装置１２２における可変表示を制御するためのフラグを設定したり、普図の表示状態に合わせて音制御装置に対する効果音の発生指令や装飾制御装置に対する装飾表示の指令を与えるためのコマンドを設定して普図始動時の演出表示などの普図ゲーム処理を行なう。そして、次のステップＳ５ｋで上記ステップＳ５ｊで設定された情報に基づいて普図を可変表示させるためのデータを出力領域に設定する普図可変制御処理が行なわれる。上記普図ゲーム処理および普図可変制御処理中も、処理が途中で中断されないようにするため処理の先頭で強制割込み以外の割込みが禁止され、処理が終了した時点で割込みが解除されるようにされる。
【手続補正１２】
【補正対象書類名】明細書
【補正対象項目名】００６７
【補正方法】変更
【補正の内容】
【００６７】
一方、ステップＳ４３で排出制御データＤ０〜Ｄ７がオフデータであると判定したときはステップＳ４４へ移行して排出制御データＤ０〜Ｄ７の監視タイマを更新して次のステップＳ４５でその監視タイマがタイムアップしたか判定する。そして、タイムアップしていないときはステップＳ４３へ戻って上記処理を繰返し、タイムアップしたときはステップＳ４６へ移行して受信割込みを許可してメイン処理の中断した処理へリターンする。この場合、遊技制御装置２１０が正常に復帰していなくても中断した処理へリターンすることになるが、排出制御装置２２０はリターンしたメイン処理ルーチンの中の受信データ判別処理（図１２）で、入力されている排出制御データＤ０〜Ｄ７を判定して無効あるいはエラーとして処理することとなるため何ら不都合はない。
【手続補正１３】
【補正対象書類名】明細書
【補正対象項目名】００７６
【補正方法】変更
【補正の内容】
【００７６】
【発明の効果】
本発明によると、遊技制御装置と排出制御装置が各々停電発生を検出した場合に実行している処理を中断して中断時の制御状態を保存するため、停電復帰時に停電発生時に中断した処理を正確に再開することができ、これによって遊技店および遊技者に対して不信感や不利益を与えるのを回避することができる。
【手続補正１４】
【補正対象書類名】明細書
【補正対象項目名】００７７
【補正方法】変更
【補正の内容】
【００７７】
また、停電復旧時には遊技制御装置のマイクロコンピュータよりも排出制御装置のマイクロコンピュータの方が先にリセットを解除されて制御動作を開始するように構成されているので、排出制御装置および表示制御装置は停電復帰時に遊技制御装置が制御を再開したことをいち早く知ることができる。
【手続補正１５】
【補正対象書類名】明細書
【補正対象項目名】００７８
【補正方法】削除
【補正の内容】